(57)【要約】      （修正有）【課題】面倒なフックの係止作業をなくし、簡単にしかも確実にロックができる安全性の高い折り畳みステップを提供する。【解決手段】略コ字状に形成された支持フレーム１と、前記支持フレーム１に上端部が枢支された２つの補助フレーム２，２と、前記２つの補助フレーム２，２間の架橋された回動軸３と、前記回動軸３に２つの摺動部材１０，１０´を介して摺動可能に取付けられた略コ字状に形成された摺動ロッド４と、前記支持フレーム１と前記補助フレーム２の間に取付けられた踏み台５等と、を備えた折り畳みステップにおいて、前記摺動部材１０，１０´の少なくとも一方に前記摺動ロッド４の動きを規制するロック機構が設けられる構成とした。【選択図】図１
0003157079.tif 000002
【実用新案登録請求の範囲】
【請求項１】
略コ字状に形成された支持フレームと、前記支持フレームに上端部が枢支された２つの補助フレームと、前記２つの補助フレーム間の架橋された回動軸と、前記回動軸に２つの摺動部材を介して摺動可能に取付けられた略コ字状に形成された摺動ロッドと、前記支持フレームと前記補助フレームの間に取付けられた踏み台と、を備えた折り畳みステップにおいて、
前記摺動部材の少なくとも一方に前記摺動ロッドの動きを規制するロック機構が設けられていることを特徴とする折り畳みステップ。
【請求項２】
前記摺動部材は、前記回動軸に回動自在に取付けられ前記摺動ロッドをガイドする回動部と、前記回動部を挟むように回動軸に取付けられ前記回動部と反対方向より前記摺動ロッドを摺動自在にガイドするガイド部と、とからなり、
前記回動部には前記摺動ロッドに対して直角方向に貫通孔が形成されていることを特徴とする請求項１に記載の折り畳みステップ。
【請求項３】
前記ロック機構は、前記貫通孔に挿通されたロックピンと、前記ロックピンを前記摺動ロッドの方向へ付勢するコイルバネと、前記摺動ロッドに複数形成された前記ロックピンの係合孔と、からなることを特徴とする請求項１または請求項２に記載の折り畳みステップ。
【考案の詳細な説明】
【技術分野】
【０００１】
本考案は、安全性に優れた折り畳みステップに関する。
【背景技術】
【０００２】
従来より、高所にある品物を取ったり、動かしたりする場合には折り畳みステップを使用し、使用しない場合には折り畳んで、キッチンや部屋の隙間に収納できる折り畳みステップがあった。この種の折り畳みステップとして、特許文献１に示すような折り畳みステップがあった。
【０００３】
この折り畳みステップは、支持フレームと、補助フレームと、踏み台と、摺動ロッドとを備えるステップツールであって、支持フレームに複数の掛けロッドが設けられ、補助フレームの上端が支持フレーム上端の付近に枢着されると共に、上端の付近に回動可能の係止フックを有する枢軸が設けられ、枢軸に摺動部材が設けられると共に、摺動部材に摺動可能の摺動ロッドが設けられ、前期踏み台は一端に摺動ロッドと溶着される回動可能の回動軸が設けられる共に、他端の下部に位置決め溝が形成されることを特徴としている。
【先行技術文献】
【特許文献】
【０００４】
【特許文献１】実用新案登録第３１０３５６２号公報
【考案の概要】
【考案が解決しようとする課題】
【０００５】
しかしながら、特許文献１に示す折り畳みステップにあっては、使用する場合に支持フレームと補助フレームを開き、安全のため回動可能な係止フックを回動させ、フック部を回動軸に係止させてロックするという作業が必要であった。この係止作業はフック部が丁度踏み台の裏側にあるため、作業がやりにくいという問題があった。また、そのためフック部を不完全な状態で係止させてしまうと、外れてしまう可能性もあった。
【０００６】
本考案は前述した従来の問題点鑑みなされたものであり、面倒なフックの係止作業をなくし、簡単にしかも確実にロックができる安全性の高い折り畳みステップを提供するものである。
【課題を解決するための手段】
【０００７】
上記課題を解決するため、請求項１の考案にあっては、略コ字状に形成された支持フレームと、前記支持フレームに上端部が枢支された２つの補助フレームと、前記２つの補助フレーム間の架橋された回動軸と、前記回動軸に２つの摺動部材を介して摺動可能に取付けられた略コ字状に形成された摺動ロッドと、前記支持フレームと前記補助フレームの間に取付けられた踏み台と、を備えた折り畳みステップにおいて、前記摺動部材の少なくとも一方に前記摺動ロッドの動きを規制するロック機構が設けられていることを特徴とするものである。
【０００８】
また、請求項２の考案にあっては、前記回動軸に回動自在に取付けられ前記摺動ロッドをガイドする回動部と、前記回動部を挟むように回動軸に取付けられ前記回動部と反対方向より前記摺動ロッドを摺動自在にガイドするガイド部と、とからなり、前記回動部には前記摺動ロッドに対して直角方向に貫通孔が形成されていることを特徴としている。
【０００９】
さらに、請求項３の考案にあっては  前記ロック機構は、前記貫通孔に挿通されたロックピンと、前記ロックピンを前記摺動ロッドの方向へ付勢するコイルバネと、前記摺動ロッドに複数形成された前記ロックピンの係合孔と、からなることを特徴とするものである。
【考案の効果】
【００１０】
本考案によれば、摺動部材に設けられたロック機構により、ワンタッチでロック作業ができるので、面倒なフックの係止作業をなくすことができる。また、ロック機構は、ロックピンがコイルバネにより常時係合孔に附勢される構造なので、確実にロック状態が保持され、安全性が高い折り畳みステップを提供することが可能となる。
【図面の簡単な説明】
【００１１】
【図１】本考案に係る折り畳みステップの要部を示す斜視図である。
【図２】本考案に係る折り畳みステップの全体を示す側面図である。
【図３】本考案に係る折り畳みステップの摺動部材を示す断面図である。
【図４】本考案に係る折り畳みステップの摺動部材を示す分解斜視図である。
【図５】図３のＡ−Ａ矢視断面図である。
【図６】本考案に係る折り畳みステップの折り畳み動作の途中を示す側面図である。
【図７】本考案に係る折り畳みステップの折り畳んだ状態を示す側面図である。
【考案を実施するための形態】
【００１２】
以下、本考案の実施形態を添付図面に基づいて説明する。本考案に係る折り畳みステップは、図１または図２に示すように、略コ字状に形成されて支持フレーム１と、前記支持フレームに上端部が枢支された２つの補助フレーム２、２と、前記２つの補助フレーム間の架橋された回動軸３と、前記回動軸３に２つの摺動部材１０、１０´を介して摺動可能に取付けられた略コ字状に形成された摺動ロッド４と、前記支持フレーム１と前記補助フレーム２の間に取付けられた踏み台５と、を備えた折り畳みステップにおいて、前記摺動部材２の少なくとも一方に前記摺動ロッド４の動きを規制するロック機構が設けられたものである。
【００１３】
支持フレーム１は、上端部が曲げられて平坦部が形成され、強度の高い金属材料より略コ字状に形成されている。この支持フレーム１の上部には、補助フレーム２の上端部が枢軸ピン２１により回動自在に取付けられている。また、この枢軸ピン２１の下側に適宜離間した位置には、掛けロッド２２により上段の踏み台５が回動可能に取付けられている。さらに、この上段の踏み台５より適宜離間した位置には、下段の踏み台６が掛けロッド２３により回動可能に取付けられている
【００１４】
また、補助フレーム２、２間には、上段の踏み台５と下段の踏み台６の間に回動軸３が取付けられており、この回動軸３には２つの摺動部材１０、１０´が取付けられている。この摺動部材１０、１０´には略コ字状に形成された摺動ロッド４の２つの脚が摺動可能に取付けられている。この２つの摺動部材１０、１０´のうち、一方の摺動部材１０にはロックピン１４によるロック機構が設けられている。
【００１５】
この摺動部材１０は、図３および図４に示すように、この回動部１１と摺動ガイド部１２とから構成されている。回動部１１は、内部を回動軸３が貫通する貫通孔が形成されており、回動軸３に対して回動可能に構成されている。また、この回動部１１には、摺動ロッド４をガイドするガイド片１１ａが形成されており、後述する摺動ガイド部１２と共に摺動ロッド４をガイドするようになっている。さらに、この回動部１１には、後述するロック機構を収容するロック部１１ｃが形成されている。
【００１６】
摺動ガイド部１２は、前述した回動部１１と共に摺動ロッド４の動作をガイドするものであり、回動部１１を挟むようにした回動片１２ａ，１２ａで、回動軸３に回動可能に取付けられている。また、前記回動部１１のガイド片１１ａと反対側より摺動ロッド４をガイドするように構成されている。そのため、摺動ガイド部１２の中央部は、摺動ロッド４の外径より僅かに大きい寸法で、半円状のえぐり部１２ｂが形成されている。
【００１７】
つぎに、この摺動部材１０に設けられているロック機構について、図３乃至図５を参照して説明する。このロック機構は、回動部１１のロック部１１ｃに、ロックピン１４の貫通孔１１ｄとバネ収容室１１ｅが設けられており、ロックピン１４の先端部１４ａがこの貫通孔１１ｄとバネ収容室１１ｅを通り、摺動ロッド４の通路に突出するように構成されたものである。そして、バネ収容室１１ｅに収容されたコイルバネ１５が、常時、先端部１４ａの鍔部１４ｂを押すことにより、常時先端部１４ａが摺動ロッド４側に突出するように付勢されている。そのため、先端部１４ａが摺動ロッド４の係合孔４ａに係合している時は、ロックピン１４が抜けないようになっており、確実なロック状態を保持するものである。
【００１８】
また、前述のロック状態を解除するためには、コイルバネ１５に抗してロックピン１４のリング１６に指をかけて外側より引っ張ると、ロックピン１４の先端部１４ａが摺動ロッド４の係合孔４ａより抜けるので、ロック状態が解除される。この解除状態では摺動ロッド４が、摺動部材１０に対して摺動自在となるものである。
【００１９】
つぎに、本考案に係る折り畳みステップの収納動作を図５乃至図７を参照して説明する。先ず、図５において、ロックピン１４を外側より引っ張ると、ロックピン１４の先端部１４ａが摺動ロッド４の係合孔４ａより抜けるので、ロック状態が解除される。この状態において、図６に示すように、摺動ロッド４の上端部を持ち、図中の矢印のように上方に摺動ロッド４を引き上げると、摺動ロッド４はスムーズに引き上げることができる。
【００２０】
さらに、引き上げると、図７に示すように、完全に折り畳まれた状態となる。この位置においては、ロックピン１４の先端部が摺動ロッド４の下の係合孔４ｂ（図５参照）の位置
になるので、ロックピン１４はコイルバネ１５により押し出され、先端部１４ａは自動的に係合孔４ｂに係合するものである。従って、この折り畳みステップは、安定した折り畳み状態で保持されるものである。
【００２１】
上述した実施態様は、本考案の一例を説明したにすぎず、その他の構成も本考案の請求の範囲内で任意に変更することができることは勿論である。例えば、踏み台の数は、２つに限定されるものではなく、３つ以上の複数でもよいのは勿論であり、その他の形状でも可能なことは勿論である。
【符号の説明】
【００２２】
１は支持フレーム
２は補助フレーム
３は回動軸
４は摺動ロッド
５は踏み台
６は踏み台
１０は摺動部材
１１は回動部
１２は摺動ガイド部
１４はロックピン
１５はコイルバネ
１６はリング
【図１】
0003157079.tif 000003
【図２】
0003157079.tif 000004
【図３】
0003157079.tif 000005
【図４】
0003157079.tif 000006
【図５】
0003157079.tif 000007
【図６】
0003157079.tif 000008
【図７】
0003157079.tif 000009